【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
粒子状固体（代表的には顔料または充填剤）、有機媒体または水性媒体、および少なくとも１から１００個または１から５０個の繰り返し単位を含むポリマーを含む、組成物であって、前記繰り返し単位が、
（ａ）次式で表される繰り返し単位５から６０（または１５から５０）モルパーセント、および
【化４】
2013529228.tif 000001
（ｂ）次式で表される繰り返し単位４０から９５（または５０から８５）モルパーセント
【化５】
2013529228.tif 000002
を含む構造（ａ）および（ｂ）を有し、
式中、
各Ｒ１は独立にＣ１〜Ｃ１００ヒドロカルビル基であり、
各Ｒ２は次式で表され、
【化６】
2013529228.tif 000003
Ｒ３は、水素およびＣ１〜Ｃ２４ヒドロカルビル基のいずれかからなる群から独立に選択され、
Ｘ１、Ｘ２、Ｘ３、Ｘ４、Ｘ５およびＸ６は、水素、フェニル、メチルおよびエチルからなる群から独立に選択され、ただし同じポリオキシアルキレンオキシアルキレン単位に結合した前記２個のＸ基の少なくとも１個は水素であり、
ｐ、ｑおよびｒは各々独立に、０を含めて、０から１００の任意の整数であり、ただしｐ、ｑおよびｒの少なくとも１個は０でなく、
Ｒ４は独立に、Ｃ１〜３０ヒドロカルビル基またはヒドロカルビル基Ｃ６〜２４またはＣ８〜１８ヒドロカルビル基であり、
ｓは０または１のいずれかである、組成物。
【請求項２】
Ｒ１がエポキシド、代表的にはジエポキシド、またはその混合物から誘導され得る、請求項１に記載の組成物。
【請求項３】
前記エポキシドが脂肪族または芳香族、代表的には芳香族である、請求項１または請求項２に記載の組成物。
【請求項４】
Ｘ１からＸ６が、水素とメチル基との混合が存在するように独立に選択される、請求項１から３のいずれかに記載の組成物。
【請求項５】
Ｒ２がポリオキシアルキレン基であり、ｐ、ｑおよびｒの合計が少なくとも９、少なくとも１５、少なくとも２５または少なくとも３０であり得る、請求項１から４のいずれかに記載の組成物。
【請求項６】
Ｒ２がポリオキシアルキレン基であり、ｐ、ｑおよびｒの合計が最高９０または最高７５または最高５０であり得る、請求項１から５のいずれかに記載の組成物。
【請求項７】
Ｒ２がポリオキシアルキレン基であり、ｐ、ｑおよびｒの合計が９から９０、または１５から９０、または２５から７５、または３０から５０であり得る、請求項１から６のいずれかに記載の組成物。
【請求項８】
Ｒ３が、アルコールなどの重合開始剤から誘導され得る、請求項１から７のいずれかに記載の組成物。
【請求項９】
Ｒ４が式Ｒ４−ＮＨ２の第一級アミンから誘導され得る、請求項１から８のいずれかに記載の組成物。
【請求項１０】
Ｒ４が、Ｃ６〜２４炭素原子またはＣ８〜１８炭素原子を有する第一級鎖状または分枝アミンから誘導される、請求項１から９のいずれかに記載の組成物。
【請求項１１】
顔料がフタロシアニンまたはその混合物である、請求項１に記載の組成物。
【請求項１２】
前記ポリマーが、０．１から５０重量％、または０．２５から３５重量％、および０．５から３０重量％から選択される範囲に存在する、請求項１または請求項１０に記載の組成物。
【請求項１３】
前記媒体が、極性液体であり、そして前記組成物が、さらに膜形成樹脂を含み、前記組成物が、塗料またはインク組成物である、請求項１から１０のいずれかに記載の組成物。
【請求項１４】
前記媒体が、極性液体であり、そして前記粒子状固体が、顔料であり、前記組成物が、インクジェット式印刷インクである、請求項１から１０のいずれかに記載の組成物。
【請求項１５】
請求項１から１０のいずれかに記載のポリマーの分散剤としての使用。
【手続補正２】
【補正対象書類名】明細書
【補正対象項目名】００２７
【補正方法】変更
【補正の内容】
【００２７】
一実施形態においては、本発明は、本明細書に開示する組成物における分散剤としての本明細書に開示するポリマーの使用を提供する。
一実施形態において、例えば、以下の項目が提供される。
（項目１）
少なくとも１から１００個または１から５０個の繰り返し単位を含むポリマーであって、前記繰り返し単位が、
（ａ）次式で表される繰り返し単位５から６０（または１５から５０）モルパーセント、および
【化４】
2013529228.tif 000004
（ｂ）次式で表される繰り返し単位４０から９５（または５０から８５）モルパーセント
【化５】
2013529228.tif 000005
を含む構造（ａ）および（ｂ）を有し、
式中、
各Ｒ１は独立にＣ１〜Ｃ１００ヒドロカルビル基であり、
各Ｒ２は次式で表され、
【化６】
2013529228.tif 000006
Ｒ３は、水素およびＣ１〜Ｃ２４ヒドロカルビル基のいずれかからなる群から独立に選択され、
Ｘ１、Ｘ２、Ｘ３、Ｘ４、Ｘ５およびＸ６は、水素、フェニル、メチルおよびエチルからなる群から独立に選択され、ただし同じポリオキシアルキレンオキシアルキレン単位に結合した前記２個のＸ基の少なくとも１個は水素であり、
ｐ、ｑおよびｒは各々独立に、０を含めて、０から１００の任意の整数であり、ただしｐ、ｑおよびｒの少なくとも１個は０でなく、
Ｒ４は独立に、Ｃ１〜３０ヒドロカルビル基またはヒドロカルビル基Ｃ６〜２４またはＣ８〜１８ヒドロカルビル基（代表的にはアルキル基またはアルカリール基またはアリール基）であり、
ｓは０または１のいずれかである、ポリマー。
（項目２）
Ｒ１がエポキシド、代表的にはジエポキシド、またはその混合物から誘導され得る、項目１に記載のポリマー。
（項目３）
前記エポキシドが脂肪族または芳香族、代表的には芳香族である、先行する項目のいずれかに記載のポリマー。
（項目４）
Ｘ１からＸ６が、水素とメチル基との混合が存在するように独立に選択される、先行する項目のいずれかに記載のポリマー。
（項目５）
Ｒ２がポリオキシアルキレン基であり、ｐ、ｑおよびｒの合計が少なくとも９、少なくとも１５、少なくとも少なくとも２５または少なくとも３０であり得る、先行する項目のいずれかに記載のポリマー。
（項目６）
Ｒ２がポリオキシアルキレン基であり、ｐ、ｑおよびｒの合計が最高９０または最高７５または最高５０であり得る、先行する項目のいずれかに記載のポリマー。
（項目７）
Ｒ２がポリオキシアルキレン基であり、ｐ、ｑおよびｒの合計が９から９０、または１５から９０、または２５から７５、または３０から５０であり得る、先行する項目のいずれかに記載のポリマー。
（項目８）
Ｒ３が、アルコールなどの重合開始剤から誘導され得る、先行する項目のいずれかに記載のポリマー。
（項目９）
Ｒ４が式Ｒ４−ＮＨ２の第一級アミンから誘導され得る、先行する項目のいずれかに記載のポリマー。
（項目１０）
Ｒ４が、Ｃ６〜２４炭素原子またはＣ８〜１８炭素原子を有する第一級鎖状または分枝（代表的には鎖状）アミンから誘導される、先行する項目のいずれかに記載のポリマー。
（項目１１）
粒子状固体（代表的には顔料または充填剤）、有機媒体または水性媒体、および先行する項目１から１０のいずれかに記載のポリマーを含む、組成物。
（項目１２）
顔料がフタロシアニンまたはその混合物である、項目１１に記載の組成物。
（項目１３）
前記ポリマーが、０．１から５０重量％、または０．２５から３５重量％、および０．５から３０重量％から選択される範囲に存在する、先行する項目１１から１２のいずれかに記載の組成物。
（項目１４）
粒子状固体、極性液体、膜形成樹脂、および先行する項目１から１０のいずれかに記載のポリマーを含む、塗料またはインク。
（項目１５）
顔料、極性液体、および先行する項目１から１０のいずれかに記載のポリマーを含む、インクジェット式印刷インク。
（項目１６）
先行する項目１から１０のいずれかに記載のポリマーの分散剤としての使用。
（項目１７）
インクまたは塗料における分散剤としての先行する項目１から１０のいずれかに記載のポリマーの使用。